(57)【要約】【課題】転倒を防止するための補助脚を備えた情報処理装置に関し、情報処理装置の筐体下側にキーボードを収納する際、収納し易く、かつ、キーボードに傷がつかないようにする。【解決手段】補助脚部１３は、キーボード１００が空間部Ｓに収納されるときにキーボード１００と接触する補助脚部１３の表面を保護する保護部１３２（３３２）を有し、キーボード１００は、チルトスタンド１１０と、チルトスタンド１１０を収容する収容部１０１と、収容部１０１側からチルトスタンド１１０が立設する側にチルトスタンド１１０を付勢し、チルトスタンド１１０が収容部１０１に収容されるとき収縮するバネ部１１１とを有し、チルトスタンド１１０は、キーボード１００が空間部Ｓに収納されるとき、キーボード１００と接触する補助脚部１３に押圧されて収容部１０１に収容される。【選択図】図５
2014085969.tif 000002
【特許請求の範囲】
【請求項１】
筐体と、前記筐体に収容される表示部と、キーボードと、
前記筐体の両側面下端から設置面に向けて延伸される２つの脚部と、
前記２つの脚部の前記設置面側の端部同士を渡されて前記設置面に設置される補助脚部とを有し、
前記筐体の底面と、前記２つの脚部と、前記補助脚部とに囲まれた空間部に前記キーボードを収納する情報処理装置であって、
前記補助脚部は、前記キーボードが前記空間部に収納されるときに前記キーボードと接触する前記補助脚部の表面を保護する保護部を有し、
前記キーボードは、チルトスタンドと、前記チルトスタンドを収容する収容部と、前記収容部側から前記チルトスタンドが立設する側に前記チルトスタンドを付勢し、前記チルトスタンドが前記収容部に収容されるとき収縮するバネ部とを有し、
前記チルトスタンドは、前記キーボードが前記空間部に収納されるとき、前記キーボードと接触する前記補助脚部に押圧されて前記収容部に収容されることを特徴とする情報処理装置。
【請求項２】
前記補助脚部は前記保護部と一体に成形されて二重構造をなすことを特徴とする請求項１記載の情報処理装置。
【請求項３】
前記補助脚部は樹脂部材で成形され、前記保護部はゴム部材で成形されることを特徴とする請求項２記載の情報処理装置。
【請求項４】
筐体の両側面下端から設置面に向けて延伸される２つの脚部の前記設置面側の端部同士を渡されて前記設置面に設置される情報処理装置用補助脚であって、
前記筐体の底面と、前記２つの脚部と共に囲まれた空間部にキーボードが収納されるときに前記キーボードと接触する側の表面を保護する保護部を有することを特徴とする情報処理装置用補助脚。
【請求項５】
前記保護部が一体に成形されて二重構造をなすことを特徴とする請求項４記載の情報処理装置用補助脚。
【請求項６】
前記保護部はゴム部材で成形され、樹脂部材で成形される補助脚本体と一体に成形されて二重構造をなすことを特徴とする請求項４又は５記載の情報処理装置用補助脚。
【請求項７】
情報処理装置筐体の底面と、前記情報処理装置筐体の両側面下端から設置面に向けて延伸される２つの脚部と、前記２つの脚部の前記設置面側の端部同士を渡されて前記設置面に設置される補助脚部とに囲まれた空間部に収納されるキーボードであって、
チルトスタンドと、前記チルトスタンドを収容する収容部と、前記収容部側から前記チルトスタンドが立設する側に前記チルトスタンドを付勢し、前記チルトスタンドが前記収容部に収容されるとき収縮するバネ部とを有し、
キーボード本体が前記空間部に収納されるとき、該本体と接触する前記補助脚部に押圧された前記チルトスタンドが前記収容部に収容されることを特徴とするキーボード。
【発明の詳細な説明】
【技術分野】
【０００１】
本発明は、転倒を防止するための補助脚を備えた情報処理装置、情報処理装置の転倒を防止する情報処理装置用補助脚、及びキーボードに関する。
【背景技術】
【０００２】
従来から、筐体の両側面下端から設置面に向けて延伸される前脚と、表示面に対向する面の略中心に所定の範囲で上下方向に回動可能に接続された後脚とで、筐体を支える構造の表示装置が知られている。これに関し、特許文献１には、観者の視線に合わせて設置角度を調節可能な表示装置において、直立に近い状態に調整されても転倒を防止できる補助脚に関する発明が開示されている。
【０００３】
また、非特許文献１には、図６に示すような、表示装置一体型デスクトップＰＣの筐体５０の両側面下端から設置面に向けて延伸される前脚５２の内、どちらか一方の片脚が地震などの揺れにより机上からはみ出した場合に、筐体５０の転倒を防ぐため、前脚２本の設置面側を掛け渡すように筐体下側に配置される耐震スタンド５３について記載されている。
【先行技術文献】
【特許文献】
【０００４】
【特許文献１】特開２０１０−６２２４６号公報
【非特許文献】
【０００５】
【非特許文献１】ＮＥＣ（登録商標）  ＰＣ  総合カタログ  ２０１２．７  ｐ６２
【発明の概要】
【発明が解決しようとする課題】
【０００６】
ところで、非特許文献１に記載の一体型デスクトップＰＣにおいては、図６に示すように、筐体５０の両側面下端から設置面に向けて延伸される前脚５２と、筐体５０の底面と、筐体５０の設置面との間に囲まれた空間Ｓが設けられ（図６（ａ）参照）、この空間Ｓを利用して筐体下側にキーボード５００を収納させることができる（図６（ｂ）参照）。そして、上述した耐震スタンド５３は、キーボード５００を収納するための空間を損なわないように、設置面から垂直方向の厚みを抑えた、長手方向に対して直交する方向における断面視が略山形状のバー構造を採用している。
【０００７】
ここで、非特許文献１のような耐震スタンド５３を設けた場合、図７（ａ）に示すように、筐体下側に収納されるキーボード５００と耐震スタンド５３が干渉する事態が発生する。つまり、ユーザーは、キーボード５００を筐体５０の下側に収納する際、筐体５０の設置面上をスライドさせるようにキーボード５００を移動させることが多いため、図中の符号Ｇで示すように、収納されるときにキーボードの背面部や底面部が耐震スタンドに接触する頻度が高くなり、キーボードに傷がついてしまうことになる。
【０００８】
また、キーボードの底面奥側には、ユーザーがタイプしやすいように、奥側をせり上げてキーボード全体を傾けるためのチルトスタンド、いわゆるキーボードの脚が取り付けられていることが多い。このチルトスタンドは、周知の収納機構によりキーボード本体側に折り畳むように収納することができるが、通常は収納させずに立てられたままであることが多い。その場合、図７（ｂ）に示すように、キーボード５００をそのまま筐体５０の下側に収納させると、チルトスタンド５１０が耐震スタンド５３に接触して、キーボード５００が収納しづらくなってしまうことになる。
【０００９】
本発明は、このような実情に鑑みてなされたものであって、転倒を防止するための補助脚を備えた情報処理装置に関し、情報処理装置の筐体下側にキーボードを収納する際、収納し易く、かつ、キーボードに傷がつかないようにすることを目的とする。
【課題を解決するための手段】
【００１０】
上記の課題を解決するため、本発明の情報処理装置は、筐体と、筐体に収容される表示部と、キーボードと、筐体の両側面下端から設置面に向けて延伸される２つの脚部と、２つの脚部の設置面側の端部同士を渡されて設置面に設置される補助脚部とを有し、筐体の底面と、２つの脚部と、補助脚部とに囲まれた空間部にキーボードを収納する情報処理装置であって、補助脚部は、キーボードが空間部に収納されるときにキーボードと接触する補助脚部の表面を保護する保護部を有し、キーボードは、チルトスタンドと、チルトスタンドを収容する収容部と、収容部側からチルトスタンドが立設する側にチルトスタンドを付勢し、チルトスタンドが収容部に収容されるとき収縮するバネ部とを有し、チルトスタンドは、キーボードが空間部に収納されるとき、キーボードと接触する補助脚部に押圧されて収容部に収容されることを特徴とする。
【発明の効果】
【００１１】
本発明によれば、情報処理装置の筐体下側にキーボードを収納する際、収納し易く、かつ、キーボードに傷がつくことを防止することができる。
【図面の簡単な説明】
【００１２】
【図１】本発明の実施形態の情報処理装置の概略斜視図である。
【図２】本発明の実施形態の情報処理装置の右側面図である。
【図３】本発明の実施形態の転倒防止バーの構造図である。
【図４】本発明の実施形態のチルトスタンドの構造図である。
【図５】本発明の実施形態のチルトスタンドの動作説明図である。
【図６】従来の一体型ＰＣの下側にキーボードが収納される様子を示す概略図である。
【図７】従来のチルトスタンドと転倒防止バーとの接触の様子を説明する図である。
【発明を実施するための形態】
【００１３】
本発明の実施形態の情報処理装置について図面を用いて以下説明する。なお、各図中、同一又は相当する部分には同一の符号を付しており、その重複説明は適宜に簡略化乃至省略する。まず、本実施形態の情報処理装置１の概略について図１を用いて以下説明する。
【００１４】
本実施形態の情報処理装置１について、表示部１１としての薄型ディスプレイとＰＣ本体とが一体化された所謂一体型デスクトップＰＣを例として以下説明する。図１（ａ）に示すように、本実施形態の情報処理装置１は、一体型デスクトップＰＣの筐体と、キーボード１００とで構成される。情報処理装置１は、その両側面下端から設置面に向けて延伸される２つの脚部１２と、２つの脚部１２の設置面側の端部同士を渡されて設置面に設置される補助脚部１３とを有する。
【００１５】
また、本実施形態の情報処理装置１においては、その筐体の底面側と、２つの脚部１２と、補助脚部１３とに囲まれた空間部Ｓにキーボード１００を収納することができる。つまり、図１（ａ）に示すように、ユーザーは、キーボード１００を使用しないとき、キーボード１００を図中の矢印方向にスライドする（押し込む）。そしてユーザーによってスライドされたキーボード１００が、図１（ｂ）に示すように、筐体下側の空間部Ｓに収納される。
【００１６】
図２は、本実施形態の情報処理装置１を右側面から見た図である。本実施形態の情報処理装置１の筐体後側には、その略中心部から設置面に向けて後脚部１４が延伸されている。後脚部１４と筐体側の取付部とを介して設けられた不図示の可動手段により後脚部１４を可動させることで、観者の視線に合わせて筐体を適切な角度に調節することができる。
【００１７】
なお、本発明において後脚部１４は必須の構成ではない。例えば、後脚部１４に依らず２つの脚部と筐体の両側面との間に可動手段を設けることにより、筐体自体を振り子のように可動させることでも、観者の視線に合わせて筐体を適切な角度に調節することができるからである。ただし、この場合は、筐体が自立可能なように、２つの脚部を、その設置面側の面積が広くなるように構成することが望ましい。
【００１８】
次に、本実施形態の補助脚部１３について図３を用いて以下説明する。上述のように、補助脚部１３は、２つの脚部１２の設置面側の端部同士を渡すように取り付けられる。これにより、どちらか一方の片脚が地震などの揺れにより机上からはみ出した場合に、筐体の転倒を防ぐことができる。
【００１９】
本実施形態の補助脚部１３は、図３（ｂ）に示すように、図３（ａ）におけるＡ−Ａ’断面視が、略山形状となっている。ただし、補助脚部１３は、その垂直方向の厚みをキーボード１００の収納性を妨げないように形成することが望ましい。本実施形態では、補助脚部１３は、なだらかな略山形状をなしているが、これに限定されず、例えば、丸みを帯びた楕円形状であっても、かまぼこ形状、又は台形状であってもよい。
【００２０】
また、本実施形態の補助脚部１３は、図３（ｂ）に示すように、プラスチック等の樹脂部１３１の上面に、シリコーンゴム等のゴム部１３２（保護部）を貼付した二重構造をとる。これにより、キーボード１００が収納されるとき、ゴム部１３２によりキーボード１００接触時の衝撃が緩和されて、補助脚部１３に接触してキーボード１００に傷がつくことを防止することができる。なお、本実施形態において、補助脚部１３の後方側１３ａにはゴム部１３２が形成されていない。これは、収納したキーボード１００を再び取り出す際には、ユーザーはキーボード１００を持ち上げて取り出すことが多いため、キーボード１００が後方側１３ａに接触するおそれは少ないことを考慮したものである。これにより、ゴムの使用料といった材料費を節約することができる。
【００２１】
また、別の実施形態である補助脚部３３について、図３（ｃ）を用いて説明する。上述の実施形態では、ゴム部１３２を樹脂部１３１に貼付した構成をとっているが、ここでは、樹脂部３３１とゴム部３３２を一体に成形する構成をとる。上述のように、ゴム部にはキーボード１００の傷つきを防止するという役割がある。一方で、上述の実施形態のように、樹脂部１３１に単にゴム部１３２を貼付した構成では、貼付した部分、つまり継ぎ目が目立ち美観上好ましくない。よって、補助脚部３３を成形する際は、例えばインサート成形により樹脂原料を型に流し込み、周知の接着材料を用いて、同じ型にゴム原料を流し込むことで樹脂とゴムとが接着し一体化した成形物を得ることができる。なお、この場合、樹脂原料を高温で流し込み、ゴム原料を低温で流し込んで成形を行うことになる。
【００２２】
次に、本実施形態のキーボード１００の構成について図４を用いて説明する。図４（ａ）に示すように、本実施形態のキーボード１００は、底面奥側（収納側）にチルトスタンド１１０を備える。本実施形態のキーボード１００は、図４（ａ）の破線部を拡大した図４（ｂ）の半断面図に示すように、底面奥側に、キーボード１００全体を傾けるチルトスタンド１１０を備え、さらに、チルトスタンド１１０を収容するチルトスタンド収容部１０１と、チルトスタンド収容部１０１側からチルトスタンド１１０が立設する側（キーボード収納側）にチルトスタンド１１０を付勢し、チルトスタンド１１０がチルトスタンド収容部１０１に収容されるとき収縮するバネ部１１１とを有する。
【００２３】
チルトスタンド１１０は、バネ部１１１の付勢力によって立設され、また、外側からの押圧力によってバネ部１１１が収縮することにより、チルトスタンド収容部１０１方向（図の矢印Ｂ方向）へ折り畳まれて、チルトスタンド収容部１０１に収容される。収縮したバネ部１１１は、バネ収容部１１２に収容される。なお、図４（ｃ）は、本実施形態のチルトスタンド１１０周りの構造を詳細に示す底面側斜視図である。また、本実施形態では、バネ部１１１を断面視Ｍ字形状の板バネを使用しているが、チルトスタンド１１０がバネの付勢力によって立設され、また、バネの収縮によってチルトスタンド収容部に収容される機構を損なわない限り、本実施形態の板バネに限定されるものでない。例えば螺旋状のコイルスプリング等であってもよい。
【００２４】
次に、本実施形態の情報処理装置１の筐体底面の空間部Ｓにキーボード１００を収納する動作手順について図５を用いて説明する。なお、図中において、説明の妨げとならないように、情報処理装置１の筐体および脚部１２は破線で示し、とりわけ、キーボード１００の奥側部分と補助脚部１３をクローズアップして示し、他は図示を省略している。
【００２５】
図５（ａ）に示すように、ユーザーはキーボード１００を使用しないとき、図中の矢印Ｃ方向へキーボード１００をスライドして移動させる。つまり、ユーザーは、キーボード１００を筐体底面側の空間部Ｓへ押し込んで収納させる。図５（ｂ）に示すように、キーボード１００の移動により、チルトスタンド１１０の下端部が補助脚部１３に接触すると、チルトスタンド１１０が補助脚部１３に押圧されてバネ部１１１が収縮を開始し、チルトスタンド１１０は図中の矢印方向Ｂへ押されていく。
【００２６】
そして、図５（ｃ）に示すように、キーボード１００が補助脚部１３上に完全に移動すると、チルトスタンド１１０が補助脚部１３の上面等に押圧されてバネ部１１１が収縮し、チルトスタンド１１０はチルトスタンド収容部１０１へ収容される。
【００２７】
上述の本実施形態の構成により、キーボード１００が筐体底面の空間部Ｓに収納されるとき、チルトスタンド１１０がチルトスタンド収容部１０１へ収容されることで、チルトスタンド１１０によってキーボード１００の移動が妨げられることがない。よって、ユーザーはキーボード１００を空間部Ｓにスムーズに収納させることができる。また、補助脚部１３の表面を保護部としてのゴム部で成形したことにより、収納時にキーボード１００が補助脚部１３に接触した場合、キーボード１００が傷つくことを防止することができる。
【００２８】
なお、上述する各実施の形態は、本発明の好適な実施の形態であり、本発明の要旨を逸脱しない範囲内において種々変更実施が可能である。例えば、本実施形態では、専ら一体型デスクトップＰＣを例にとり説明したが、本発明はこれに限らず、下部に収納スペースを設けた種々の表示装置に適用することができる。例えば、家庭用テレビジョンにおいて、リモコン等を収納させる場合にも本発明を適用することが可能である。
【符号の説明】
【００２９】
１    情報処理装置
１１    表示部
１２    脚部
１３、３３    補助脚部
１３ａ    後方側
１４    後脚部
１００    キーボード
１０１    チルトスタンド収容部
１１０    チルトスタンド
１１１    バネ部
１１２    バネ収容部
１３１、３３１    樹脂部
１３２、３３２    ゴム部
Ｓ    空間部
【図１】
2014085969.tif 000003
【図２】
2014085969.tif 000004
【図３】
2014085969.tif 000005
【図４】
2014085969.tif 000006
【図５】
2014085969.tif 000007
【図６】
2014085969.tif 000008
【図７】
2014085969.tif 000009